(57)【要約】【課題】装着中にずれたり、傾いたりすることがなく、しかもネクタイを傷めることのないネクタイピンを提供する。【解決手段】ネクタイピンは、ネクタイピン本体(11)と；ネクタイピン本体の一端部に一体に結合され、孔が形成された一対の腕部を有する支持片(12)と；ネクタイピン本体の上に配置され、屈曲部で屈曲する下側バネ部材(50)と；下側バネ部材の上に配置され、後端部で支持片に係止され、先端部近傍で本体の裏面に当接する挟持部材(20)と；挟持部材の上に配置され、支持片に回動可能に結合し、挟持部材を押圧するための凸部と、留め部材を開閉するための先端部とを有する留め部材(30)とを備える。挟持部材の上側に全体として板状で挟持部材より短く、後端部で支持片に係止される上側バネ部材(40)を備えることもできる。留め部材の先端部を開いた状態で装着し取り外すことができ、留め部材の先端部を閉じた状態で使用する。【選択図】図１
2010179051.tif 000002
【特許請求の範囲】
【請求項１】
ネクタイピン本体と、
前記ネクタイピン本体の一端部に一体に結合され、各々に孔が形成された一対の腕部を有する支持片と、
前記ネクタイピン本体の上に配置され、全体として板状で、後端部で前記支持片に係止され、先端部近傍で前記ネクタイピン本体の裏面に当接する挟持部材と、
前記ネクタイピン本体と前記挟持部材の間に配置され、屈曲部と、前記屈曲部から屈曲して前記挟持部材の下面に沿って延びる上側部分と、前記屈曲部から屈曲して前記挟持部材の下面に沿って延びる下側部分を有する下側バネ部材と、
前記挟持部材の上に配置され、前記支持片に回動可能に結合し、後端部に前記挟持部材を押圧するための凸部と、留め部材を開閉するための先端部とを有する留め部材とを備え、
前記留め部材の前記先端部を開いた状態で装着し取り外すことができ、前記留め部材の前記先端部を閉じた状態で使用するようになったことを特徴とするネクタイピン。
【請求項２】
前記支持片には孔部が形成され、前記挟持部材の前記後端部は前記孔部に収容される請求項１に記載のネクタイピン。
【請求項３】
前記挟持部材と前期留め部材との間に配置され、全体として板状で前記挟持部材より短く、後端部で前記支持片に係止される上側バネ部材を備え、
前記上側バネ部材の前記後端部は、前記孔部に収容される請求項１に記載のネクタイピン。
【請求項４】
前記挟持部材の幅方向端部から下方に延びる延長部を有する請求項１に記載のネクタイピン。
【請求項５】
前記留め部材を閉じた状態では、前記挟持部材の先端部に近い前記延長部の下端部と、前記下側バネ部材の前記下側部分の一部が、前記本体の裏面に当接する請求項４に記載のネクタイピン。
【請求項６】
前記留め部材は、前記凸部の近くに前記留め部材の幅方向に貫通する貫通孔を有し、
前記支持片の前記一対の腕部の前記孔と前記留め部材の前記貫通孔を通るピンにより、前記留め部材は、前記支持片の前記腕部に回動可能に結合される請求項１に記載のネクタイピン。
【請求項７】
前記下側バネ部材の前記下側部分の先端部は、前記挟持部材の前記延長部の間に配置される請求項１に記載のネクタイピン。
【請求項８】
前記本体の裏面に滑り止め用の凹凸が形成された請求項１に記載のネクタイピン。
【発明の詳細な説明】
【技術分野】
【０００１】
本発明はネクタイピンに関し、特に、ネクタイを安定して留めることができ、ずれにくいネクタイピンに関する。
【背景技術】
【０００２】
図５に従来のネクタイピンの断面図を示す。従来のネクタイピンは、装着時に前面にくるネクタイピン本体1の後端部から支持片2が後向きに延び、支持片2の端部に軸4を設け、鰐口状の滑止部3aを有する挟持部材3を軸4に回動可能に接続し、軸4に設けたコイルバネ5により、挟持部材3を本体1側に押圧する。
このネクタイを留める際には、本体1の後端部と挟持部材3の後端部3bを指で押すことにより、軸4を支点として挟持部材3を回動させて挟持部材3の先端部を開く。留めようとするネクタイの前側に本体1が位置し、ワイシャツの後側に挟持部材3が位置するようにして、ネクタイピンを一方の側から差し込む。本体1の後端部と挟持部材3の後端部3bから指を離して、挟持部材3を閉じ、本体1と挟持部材3の滑止部3aとの間にネクタイとワイシャツを挟持していた。
【０００３】
このネクタイピンは、ネクタイとワイシャツを挟持するのは、挟持部材3の先端の滑止部3aの位置だけなので、ネクタイを留める位置が上下にずれたり、傾いたりすることが多かった。また、厚いネクタイと薄いネクタイを同じように安定して保持することは難しかった。
また、コイルバネ5に抗して挟持部材3の後端部3bを指で押して回動させるためのスペースをとるため、本体1の表面から挟持部材3の後端部3bまでの高さＴを大きくする必要があった。そのため装着中にフィット感が得られないという問題があった。
さらに、コイルバネ5はバネの力に抗して組み立てるので、組み立てが容易ではなかった。
【０００４】
そのため、ネクタイを安定的に保持し、装着中にずれたり、傾いたりすることがなく、しかもネクタイを傷めることのないネクタイピンの必要性がある。
また、厚いネクタイと薄いネクタイを同じように安定して保持できるネクタイピンの必要性がある。
また、本体表面から挟持部材の後端部までの高さが低く、フィット感が得られるネクタイピンが求められている。
【０００５】
本発明者は、ネクタイを安定的に保持し、ネクタイを傷めることのないネクタイピンを提供することを目的として、特許文献１のネクタイピンを発明した。図６に示す特許文献１のネクタイピンは、ネクタイピン本体11と、本体の一端部に一体に結合され、一対の孔が形成された腕部を有する支持片12とを備える。更に、本体の裏面に重ね合わせて配置され、全体として板状で、一端部で支持片に係止され、先端部近傍で本体の裏面に当接する挟持部材20を備える。挟持部材の上側に配置されたバネ部材25と、支持片の一対の孔に回動可能に結合され、バネ部材25と挟持部材20を押圧するための凸部を有する留め部材30を備える。留め部材を開いた状態で装着し、留め部材を閉じた状態で使用するようになっている。
【０００６】
しかし、特許文献１のネクタイピンは、挟持部材20が薄い板状なので、ネクタイを保持する力が十分ではなかった。また、挟持部材20は、その先端部近傍でのみ本体の裏面に当接するので、ネクタイの安定した保持が十分ではなかった。
【先行技術文献】
【特許文献】
【０００７】
【特許文献１】特開２００６‐２６３０６６号公報
【発明の概要】
【発明が解決しようとする課題】
【０００８】
従って、本発明の目的は、ネクタイを安定的に保持し、装着中にずれたり、傾いたりすることがなく、しかもネクタイを傷めることのないネクタイピンを提供することである。
本発明の別の目的は、容易に装着取り外しすることができるネクタイピンを提供することである。
本発明の別の目的は、ネクタイの厚さによらず安定的に保持することができるネクタイピンを提供することである。
本発明の別の目的は、高さが低いネクタイピンを提供することである。
【課題を解決するための手段】
【０００９】
かかる目的を達成するため、本発明のネクタイピンは、本体と、支持片と、挟持部材と、留め部材とを備える。本体と挟持部材の間に、屈曲部で屈曲した形状の下側バネ部材を備える。挟持部材と、留め部材との間に、上側バネ部材を備えることもできる。
下側バネ部材は屈曲した形状なので、弾力的にネクタイを保持することができる。留め部材により挟持部材をネクタイピン本体の面に押圧し、本体と挟持部材の間、及び本体と下側バネ部材の間の間の複数箇所でネクタイを保持する。
なお、本発明の明細書で使用するネクタイピンとは、図５、６に示すようなネクタイの表面と裏面とを挟んで保持するものを言う。
【００１０】
本発明の１態様は、ネクタイピン本体と、
前記ネクタイピン本体の一端部に一体に結合され、各々に孔が形成された一対の腕部を有する支持片と、
前記ネクタイピン本体の上に配置され、全体として板状で、後端部で前記支持片に係止され、先端部近傍で前記ネクタイピン本体の裏面に当接する挟持部材と、
前記ネクタイピン本体と前記挟持部材の間に配置され、屈曲部と、前記屈曲部から屈曲して前記挟持部材の下面に沿って延びる上側部分と、前記屈曲部から屈曲して前記挟持部材の下面に沿って延びる下側部分を有する下側バネ部材と、
前記挟持部材の上に配置され、前記支持片に回動可能に結合し、後端部に前記挟持部材を押圧するための凸部と、留め部材を開閉するための先端部とを有する留め部材とを備え、
前記留め部材の前記先端部を開いた状態で装着し取り外すことができ、前記留め部材の前記先端部を閉じた状態で使用するようになったことを特徴とするネクタイピンである。
【００１１】
下側バネ部材は屈曲した形状なので、弾力的にネクタイを保持することができる。
留め部材を閉じた状態では、留め部材の凸部は、挟持部材を押圧する。
これにより、ネクタイを安定的に保持し、ネクタイのずれ、傾きを防止することができる。また、留め部材を開いた状態で容易に装着することができる。
【００１２】
前記支持片には孔部が形成され、前記挟持部材の前記後端部は前記孔部に収容されることが好ましい。
挟持部材を安定して保持することができる。
【００１３】
前記挟持部材と前期留め部材との間に配置され、全体として板状で前記挟持部材より短く、後端部で前記支持片に係止される上側バネ部材を備え、
前記上側バネ部材の前記後端部は、前記孔部に収容されることが好ましい。
留め部材を閉じた状態では、留め部材の凸部は、上側バネ部材を押圧し、上側バネ部材の下の挟持部材を間接的に押圧するので、安定して押圧することができる。
【００１４】
前記挟持部材の幅方向端部から下方に延びる延長部を有することが好ましい。
延長部により、挟持部材はたわみにくくなる。
【００１５】
前記留め部材を閉じた状態では、前記挟持部材の先端部に近い前記延長部の下端部と、前記下側バネ部材の前記下側部分の一部が、前記本体の裏面に当接することが好ましい。
挟持部材の延長部の下端部は、狭い面積で、本体の裏面に当接するので、ネクタイがずれないように確実に保持することができる。また、下側バネ部材の下側部分の一部は、挟持部材の延長部の下端部より広い面積で、本体の裏面に当接するので、安定してネクタイを保持することができる。
【００１６】
前記留め部材は、前記凸部の近くに前記留め部材の幅方向に貫通する貫通孔を有し、
前記支持片の前記一対の腕部の前記孔と前記留め部材の前記貫通孔を通るピンにより、前記留め部材は、前記支持片の前記腕部に回動可能に結合されることが好ましい。
これにより、留め部材を確実に回動可能に接続することができる。
【００１７】
前記下側バネ部材の前記下側部分の先端部は、前記挟持部材の前記延長部の間に配置されることが好ましい。
これにより、下側バネ部材を挟持部材から外れないように固定することができる。
【００１８】
前記本体の裏面に滑り止め用の凹凸を形成することができる。
これにより、さらに確実にネクタイを保持することができる。
【発明の効果】
【００１９】
本発明によれば、挟持部材の延長部と本体の間、下側バネ部材と本体の間の複数箇所でネクタイを挟持するので、ネクタイを傷めにくく、安定して保持することができる。
また、ネクタイピン本体と、挟持部材および下側バネ部材の間にネクタイを挟んだ状態で、留め部材で押圧するので、ネクタイを強く保持することができ、装着中にずれたり、傾いたりすることがない。
留め部材を開いて装着し、取り外しするので、容易に装着取り外しすることができる。
湾曲した下側バネ部材でネクタイを保持するので、ネクタイの厚さにより下側バネ部材の湾曲が変わり、ネクタイの厚さによらず安定的に保持することができる。
また、高さが低く体に密着するネクタイピンを得ることができる。
【図面の簡単な説明】
【００２０】
【図１】本発明の実施の形態によるネクタイピンの斜視図。
【図２】図１のネクタイピンの分解斜視図。
【図３】図１のネクタイピンの留め部材を開いた状態の側面図。
【図４】図１のネクタイピンの留め部材を閉じた状態の側面図。
【図５】従来のネクタイピンの断面図。
【図６】本発明者の発明による従来のネクタイピンの断面図。
【発明を実施するための形態】
【００２１】
以下、本発明の実施の形態によるネクタイピン10について図面を参照しながら説明する。図１は、本発明の実施の形態によるネクタイピン10の留め部材30を開いた状態の斜視図である。図２は、ネクタイピン10の各部材の分解斜視図である。以下のネクタイピン10の各部材の説明において、図１、２の上側の面を上面、下側の面（本体に近い側の面）を下面という。なお、ネクタイピン本体11の上面を裏面という場合もある。
【００２２】
ネクタイピン10は、ネクタイピンの本体11と、本体11に一体に固定された支持片12と、一端部が支持片12に支持される挟持部材20と、挟持部材20を押し付けるための留め部材30と、本体11と挟持部材20との間の下側バネ部材50とを備える。挟持部材20と留め部材30との間の上側バネ部材40とを備えることもできる。
即ち、ネクタイピンの本体11、下側バネ部材50、挟持部材20、上側バネ部材40（任意）、留め部材30の順に重ね合わせられている。
留め部材30の先端部33を開いた状態で装着し取り外すことができ、留め部材30の先端部33を閉じた状態で使用するようになっている。
以下、各部品について詳細に説明する。
【００２３】
ネクタイピン10は、ネクタイピンの本体11を備える。本体11の表面（下面）には色々の装飾を施すことができる。
本体11の裏面（上面）の一端部には、支持片12が一体に結合されている。支持片12は、本体11の一端部からほぼ直角方向に延び、途中の屈折部の先は、腕部16の基部となり、基部から支持片12の幅方向両端の一対の腕部16が本体11の斜め上方に延びる。腕部16の基部の近くには一対の腕部16の間に支持片12の幅方向にピン15が埋め込まれている。腕部16の基部とピン15に間には、長方形の形の孔部13が形成される。一対の腕部16は孔17のある先端部で終わる。
支持片12は、洋白、ベリリウム銅等の材料を使用して、ダイキャストで製造することができるが、他の材料を使用して、他の好適な方法で製造することもできる。支持片12を製造後、本体11とロー付け等により一体に結合することができる。
【００２４】
ネクタイピン10は、挟持部材20を備える。挟持部材20は、例えば、ステンレス鋼、ベリリウム銅で形成されている。挟持部材20は、全体として板状である。途中から先端側は幅方向両端部から下方に延長部24が延びる。挟持部材20はほぼ板状であるが、直角方向に延長部24が設けられるので、挟持部材20はたわみにくくなっている。挟持部材20の先端部23に近い部分では挟持部材20の幅方向両端部から下方に延長部25が延びる。延長部25は下端部が山型となり、本体11の裏側に押し付けられ、本体11の裏側との間でネクタイを固定しやすいようになっている。
挟持部材20の後端部21はほぼ直角に下方に曲がり、更に再度挟持部材20の上面に平行な方向に曲がっている。
ネクタイピン10を組み立てた状態では、後端部21は支持片12の孔部13に受入れられ、腕部16の基部の裏側に当接し、挟持部材20が支持片12から外れにくくなっている。
【００２５】
ネクタイピン10は、上側バネ部材40を備えることができる。上側バネ部材40は長さが支持片12より短く、バネ性のある材料で形成されている。上側バネ部材40は、全体として板状であり、後端部41はほぼ直角に下方に曲がり、更に再度上側バネ部材40の上面に平行な方向に曲がっている。
ネクタイピン10を組み立てた状態では、上側バネ部材40は挟持部材20の上面に重ね合わされ、上側バネ部材40の後端部41は、挟持部材20の後端部21と共に、支持片12の孔部13に受入れられ、腕部16の基部の裏側に当接する。そのため、上側バネ部材40と挟持部材20が支持片12から外れにくくなっている。
上側バネ部材40は任意でありなくてもよい。上側バネ部材40があると、留め部材30の凸部31は上側バネ部材40を下方に押圧し、上側バネ部材40を介して挟持部材20を間接的に広い面積で押圧するので、安定して挟持部材20を押圧することができる。
【００２６】
ネクタイピン10は、留め部材30を備える。留め部材30の後端部には、凸部31が形成されている。凸部31の基部には、基部を横方向に貫通する貫通孔34が形成される。貫通孔34と、一対の腕部16の孔17とに、ピン35を差し込んで、ピン35の先端部をかしめて、留め部材30は支持片12に結合することができる。留め部材30は、ピン35を支点として、回動可能に結合される。先端部33を指で開閉することにより、留め部材30を開閉することができる。留め部材30を閉じたとき、凸部31は上側バネ部材40と、挟持部材20を押圧し、留め部材30を開いたとき、凸部31は上側バネ部材40と、挟持部材20を押圧しないようになっている。
【００２７】
留め部材30は、洋白、ベリリウム銅等の材料を使用して、ダイキャストで製造することができるが、他の好適な方法で製造することもできる。
留め部材30の凸部31は、上側バネ部材40を下方に押圧し、上側バネ部材40を介して挟持部材20を間接的に広い面積で押圧するので、安定して挟持部材20を押圧することができる。
なお、上側バネ部材40がない場合は、留め部材30の凸部31は、挟持部材20を直接押圧する。
【００２８】
本実施の形態では、ピン35により留め部材30を回動可能に接続する構造を説明したが、接続する構造はこれに限定されない。留め部材30に貫通孔34を設けず、代わりに幅方向端部に一対の凸部を設け、一対の凸部を一対の腕部16の孔17にはめ込むことにより、留め部材30を支持片12に接続することもできる。
【００２９】
ネクタイピン10は、下側バネ部材50を備える。下側バネ部材50は、ステンレス鋼、ベリリウム銅等で作成されている。下側バネ部材50は、中間の屈曲部51で屈曲し、屈曲部51から挟持部材20の下面に沿って上側部分52が延びる。屈曲部51から挟持部材20の下面に沿って下側部分53が延びる。下側部分53は、緩やかにカーブして、先端は先端部54となっている。下側バネ部材50は、中間の屈曲部51で屈曲する形状なので、たわみやすい。
ネクタイピンを組み立てた状態では、下側バネ部材50の上側部分52の先端部は、挟持部材20の延長部24の間に受入れられる。下側バネ部材50の下側部分53の先端部54は、挟持部材20の先端部23近くの延長部25の間に受入れられる。延長部25の間に固定してもよい。
下側部分53の中央部は、本体11の裏側に押し付けられ、本体11の裏側との間でネクタイを挟持するようになっている。
【００３０】
本実施の形態では、支持片12に形成された孔部13に、挟持部材20の後端部21と、上側バネ部材40の後端部41とを収容して、挟持部材20と上側バネ部材40とを係止している。
挟持部材20は、延長部24,25が形成されているので、たわみにくい。上側バネ部材40はたわむことができる。下側バネ部材50は、屈曲した形状であり、バネ性により容易にたわむことができる。
挟持部材20の延長部25と、下側バネ部材50の下側部分35の中央部とが、本体11の裏面に当接する。
【００３１】
ネクタイピン10の各部品を組み立てる方法を説明する。
まず、支持片12が一体に結合されたネクタイピンの本体11を表面が下になるように置く。
下側バネ部材50の先端部54を挟持部材20の先端部23の延長部25の間にセットする。このとき、下側バネ部材50の先端部54を挟持部材20の先端部23にかしめ等で固定してもよい。
挟持部材20の後端部21を支持片12の孔部13に挿入する。
次に、挟持部材20の上に上側バネ部材40を重ね合わせ、上側バネ部材40の後端部41を支持片12の孔部13に挿入する。
留め部材30を上側バネ部材40の上に押し付け、支持片12の孔17と、止め部材30の貫通孔34の位置を合わせ、孔17、貫通孔34にピン35を通し、ピン35の先端部をかしめて固定する。留め部材30はピン35を支点として回動できるようになる。これで、ネクタイピン10の組み立てが完了する。
【００３２】
図３は、ネクタイピン10を組み立てた後、ネクタイピン10の留め部材30を開いた状態の側面図であり、図４は留め部材30を閉じた状態の側面図である。
図３に示す留め部材30を開いた状態では、留め部材30の先端部33は挟持部材20から離れ、留め部材30の凸部31は、図３の支持片12の孔17より右側に位置し、上側バネ部材40の上面に当接するか又はわずかに離れ、上側バネ部材40の上面を押圧していない。このとき、挟持部材20の延長部25は、本体11の裏面から離れている。
また、下側バネ部材50の下側部分53の中央部は、本体11の裏面に弱い力で当接している。
この状態で、ネクタイと必要によりワイシャツを本体11と、挟持部材20および下側バネ部材50の間に挟む。留め部材30を開いた状態では、挟持部材20と下側バネ部材50とは、本体11に押し付けられていないので、容易にネクタイ（とワイシャツ）を本体11と、挟持部材20および下側バネ部材50との間に挟むことができる。
【００３３】
ネクタイ（とワイシャツ）を挟んだ後、留め部材30を図３の時計回りに回動させ、図４の閉じた状態とする。留め部材30の先端部33に近い部分は挟持部材20に接し、留め部材30の凸部31は図４の支持片12の孔17より左側に位置に来て、上側バネ部材40と、その下側の挟持部材20と、その下側の下側バネ部材50とを押圧する。
このとき、挟持部材20の延長部25の下端部は、本体11の裏面に押し付けられる。また、下側バネ部材50の下側部分53の中央部も、本体11の裏面に押し付けられる。
挟持部材20の延長部25の下端部は凸状であり、バネ部材50の下側部分53の中央部は緩やかな曲線である。従って、挟持部材20の延長部25の凸状部と、バネ部材50の下側部分53の曲面部と、形状の異なる複数箇所でネクタイ（とワイシャツ）を安定して挟持することができる。
留め部材30の凸部31は、支持片12の孔17の真下の位置に来るとき最も強く上側バネ部材40を押圧するので、留め部材30を閉じた状態では、留め部材30は容易に開くことはない。
【００３４】
本実施の形態では、留め部材30を図３、４の時計回りに回動させて閉じた状態とする。留め部材30を本実施の形態とは逆向きの取り付け、留め部材30を図３、４の反時計回りに回動させて閉じた状態とすることもできる。この場合は、留め部材30の先端部33は支持片12の側に来る。
【００３５】
本発明の実施形態によれば、挟持部材20はたわみにくい。バネ性があり屈曲した形状の下側バネ部材50を使用する。
下側バネ部材50は屈曲部51で大きく屈曲した形状で、上側部分52の一部が、挟持部材20の面に当接され、下側部分53の一部が本体11の裏面に当接される。下側バネ部材50は屈曲部51でたわみやすい。留め部材30を開いた状態では、下側バネ部材50は挟持部材20が本体11に当接しないように上方へ押すので、ネクタイを装着しやすい。留め部材30を閉じた状態では、下側バネ部材50は本体11に押し付けられ、バネ力でネクタイを安定的に保持することができる。
また、ネクタイの厚さにより、下側バネ部材50の屈曲部51での湾曲度が変わるので、厚いネクタイでも薄いネクタイでも対応することができる。
【００３６】
上側バネ部材40がある場合は、留め部材30は上側バネ部材40を介して挟持部材20を押するので、安定して押圧することができる。
また、上側バネ部材40と、下側バネ部材50のバネ力だけでなく、留め部材30を使用してネクタイ（とワイシャツ）を強く挟むので、ネクタイが装着中にずれたり、傾いたりすることがない。
【００３７】
ネクタイピン10は、コイルバネを使用しないので、組み立てが容易である。
また、図５に示す従来のネクタイピンは、コイルバネ5の力に抗して挟持部材3の後端部3bを指で押して挟持部材3を開く必要があるので、挟持部材3の後端部3bの高さを高くする必要があった。本発明の実施形態によるネクタイピン10は、コイルバネを使用せず、留め部材を使用して挟持部材20を押圧してネクタイを挟持するので、挟持部材20に高さの高い後端部を設ける必要がない。そのため、ネクタイピン全体の高さを低くすることができる。
【００３８】
本発明の実施形態では、本体11の裏面は平面としたが、本体11の裏面に滑り止め用の凹凸を付けることもできる。これにより、さらに安定してネクタイピンを留めることができる。
【産業上の利用可能性】
【００３９】
本発明は、ネクタイピンに使用することができる。本発明の実施形態では、ネクタイピンについて説明したが、本発明の挟持構造はネクタイピンに限定されない。装飾的な本体を用いてスカーフ留めとすることができる。また、チェーン、ストラップ、キーホルダー等の装飾品にも使用することができる。
【符号の説明】
【００４０】
1  本体
2  支持片
3  挟持部材
4  軸
5  コイルバネ
6  押圧部材
10  ネクタイピン
11  本体
12  支持片
13  孔部
15  ピン
16  腕部
17  孔
20  挟持部材
21  後端部
23  先端部
24  延長部 
25  延長部
30  留め部材
31  凸部
33  先端部
34  孔
35  ピン
40  上側バネ部材
41  後端部
50  下側バネ部材
51  屈曲部
52  上側部分
53  下側部分
54  先端部
【図１】
2010179051.tif 000003
【図２】
2010179051.tif 000004
【図３】
2010179051.tif 000005
【図４】
2010179051.tif 000006
【図５】
2010179051.tif 000007
【図６】
2010179051.tif 000008